(57)【特許請求の範囲】
【請求項１】
通電電流に応動して湾曲するバイメタルを有する熱動引き外し装置と、上記通電電流が所定値を超過したときに生じる電磁力により作動する電磁引き外し装置と、上記熱動引き外し装置および上記電磁引き外し装置の動作により駆動される引き外し部材と、この引き外し部材の回動により作動する開閉機構部とを備えた回路遮断器において、上記引き外し部材は、丸棒で形成されたトリップバーと、このトリップバーに一体的に取付けられ上記開閉機構部に係合する第一の係合部材と、上記トリップバーに装着され、定常状態における上記バイメタルとの間隙を調整可能なスライド板とを備えたことを特徴とする回路遮断器。
【請求項２】
スライド板に保持溝を設け、この保持溝によりトリップバーの軸方向に直交する方向から、上記トリップバーに上記スライド板を嵌挿したことを特徴とする請求項１記載の回路遮断器。
【請求項３】
スライド板に、トリップバーに取付けられた第一の係合部材に当接して上記トリップバーの軸方向に所定の距離スライド可能に位置決めされる案内溝を設けたことを特徴とする請求項１または請求項２記載の回路遮断器。
【請求項４】
バイメタルとスライド板との間隙を調整する調整ねじを設け、この調整ねじが当接する上記スライド板の当接面を、トリップバーの円周方向と同方向に円弧状に形成された傾斜面としたことを特徴とする請求項１〜３のいずれか１項に記載の回路遮断器。
【請求項５】
通電電流に応動して湾曲するバイメタルを有する熱動引き外し装置と、上記通電電流が所定値を超過したときに生じる電磁力により作動する電磁引き外し装置と、上記熱動引き外し装置および上記電磁引き外し装置の動作により駆動される引き外し部材と、この引き外し部材の回動により作動する開閉機構部とを備えた回路遮断器において、上記引き外し部材は、丸棒で形成されたトリップバーと、このトリップバーに装着され上記開閉機構部に係合する第一の係合部材と、上記トリップバーに装着され、隣接極との相間に突出する遮蔽部材とを備えたことを特徴とする回路遮断器。
【請求項６】
遮蔽部材に、第一の係合部材に当接して位置決めされるストッパを設けたことを特徴とする請求項５記載の回路遮断器。
【発明の詳細な説明】
【０００１】
【発明の属する技術分野】
この発明は、回路遮断器の引き外し装置に関するものである。
【０００２】
【従来の技術】
図６は、例えば特開平８−９６６８９号公報に示されたものと類似の従来の回路遮断器を一部破断して内部を示す正面図である。図７は、図６の回路遮断器の引き外し部材を示す拡大図であり、（Ａ）は正面図、（Ｂ）は側面図、（Ｃ）は（Ｂ）の上面図である。図８は、引き外し部材のスライド板を示す拡大側面図である。
図において、１はベース、２はカバーである。３は過電流引き外し装置であり、中継端子４を介してベース１にねじ５ａにより装着されている。過電流引き外し装置３は、ねじ５ｂにより中継端子４と電気的に接続されたヒータ６と、このヒータ６にリベット７で固着されたバイメタル８と、バイメタル８の開放端８ａに螺着された調整ねじ８ｂと、調整ねじ８ｂをバイメタル８に固定するナット８ｃからなる熱動引き外し装置３１と、ヒータ６にバイメタル８と共にリベット７で固着されたヨーク９に対向して配置され、ヒータ６に流れる電流により生じる電磁力によりヨーク９に吸引されるアマチュア１０およびアマチュア１０を復帰させるばね１１からなる電磁引き外し装置３２とにより構成されている。
【０００３】
１２はベース１にねじ１３により螺着されたフレーム１４に回動自在に装着された引き外し部材であり、図７に示すように、合成樹脂で形成されたトリップバー１５と、このトリップバー１５に嵌挿された軸１６に回動自在に装着された第一の係合部材である掛け金１７と、トリップバー１５の長手方向へ移動可能に装着されたスライド板１８（一点鎖線で示す）とで構成されている。スライド板１８は図８に示すように、複数の突起部１８ａと複数の傾斜面１８ｂとを有し、この突起部１８ａがトリップバー１５の長孔１５ａ｛図７（Ｂ）に示す｝に嵌合して矢印方向｛図７（Ｃ）に示す｝へ移動可能に形成されている。
【０００４】
上記引き外し部材１２は、熱動引き外し特性を調整可能に構成されており、図７に示すように、スライド板１８が一点鎖線で示す位置にある時には調整ねじ８ｂの先端と傾斜面１８ｂとの間隙がほぼ最小であり、低い熱定格のセッティングとなり、スライド板１８が二点鎖線で示す位置にある時には調整ねじ８ｂの先端と傾斜面１８ｂとの間隙がほぼ最大であり、高い熱定格のセッティングとなる。図６に示す１９は開閉機構部であり、フレーム１４に軸１４ａにより回動自在に保持された第二の係合部材であるラッチ２０と、一端がこのラッチ２０に係合する第三の係合部材であるレバー２１と、ハンドルアーム２２およびリンク機構（図示せず）等で構成されている。
【０００５】
このような従来の回路遮断器においては、過電流引き外し装置３には通常は定格電流値以下の電流が流れている。ここで、過電流引き外し装置３に流れる電流が何らかの原因で定格電流以上に上昇した場合、ヒータ６から発生するジュール熱によってバイメタル８が熱せられ、その開放端部８ａが矢印Ａ方向に湾曲しトリップバー１５を押圧する。トリップバー１５が所定量以上押圧されるとトリップバー１５が時計方向へ回動され、トリップバー１５に嵌挿された軸１６に装着された掛け金１７とラッチ２０との係合が外れ、ラッチ２０がラッチばね（図示せず）の付勢力により軸１４ａを中心に反時計方向へ回動する。この回動により、レバー２１がラッチ２０との係合から開放されて時計方向へ回動され、ハンドルアーム２２等の開閉機構部１９が作動し、可動接点２３が固定接点２４から開離して回路が遮断される。
【０００６】
また、過電流引き外し装置３に流れる電流が定格電流以上で所定値以上になった場合、ヒータ６に流れる電流により生じる磁束が磁路となるヨーク９およびアマチュア１０を通過することにより、アマチュア１０をヨーク９方向に吸引する吸引力が発生する。この吸引力は、アマチュア１０を復帰させるばね１１の付勢力より勝り、アマチュア１０を吸引して先端部１０ａでトリップバー１５を押し、トリップバー１５が時計方向へ回動され、上記と同様に掛け金１７とラッチ２０との係合が外れ、開閉機構部１９が作動し、可動接点２３を固定接点２４から開離させ回路が遮断される。
【０００７】
【発明が解決しようとする課題】
上記のような従来の回路遮断器では、熱動引き外し装置３１の引き外し部材１２は、熱動引き外し特性を調整可能であるが、複雑な形状のトリップバー１５と、トリップバー１５に嵌挿された軸１６と、掛け金１７と、スライド板１８とにより構成され、部品点数が多く、組立作業が難しいという問題点があった。
また、トリップバー１５は複雑な形状をした成形品であり、これにスライド板１８が挿着されているので、バイメタル８が湾曲した時に、調整ねじ８ｂとスライド板１８との当接位置がバラツキ、熱動引き外し特性が安定しないという問題点もあった。
【０００８】
この発明は、かかる問題点を解決するためになされたもので、部品点数が少ない構成で、組立作業が容易な引き外し部材を有する熱定格可調式の回路遮断器を得ることを目的としている。
【０００９】
【課題を解決するための手段】
この発明に係る回路遮断器においては、通電電流に応動して湾曲するバイメタルを有する熱動引き外し装置と、通電電流が所定値を超過したときに生じる電磁力により作動する電磁引き外し装置と、熱動引き外し装置および電磁引き外し装置の動作により駆動される引き外し部材と、この引き外し部材の回動により作動する開閉機構部とを備えた回路遮断器において、引き外し部材は、丸棒で形成されたトリップバーと、このトリップバーに一体的に取付けられ開閉機構部に係合する第一の係合部材と、トリップバーに装着され定常状態におけるバイメタルとの間隙を調整可能なスライド板とを備えたものである。
【００１０】
また、スライド板に保持溝を設け、この保持溝によりトリップバーの軸方向に直交する方向から、トリップバーにスライド板を嵌挿したものである。
【００１１】
また、スライド板に、トリップバーに取付けられた第一の係合部材に当接してトリップバーの軸方向に所定の距離スライド可能に位置決めされる案内溝を設けたものである。
【００１２】
また、バイメタルとスライド板との間隙を調整する調整ねじを設け、この調整ねじが当接するスライド板の当接面を、トリップバーの円周方向と同方向に円弧状に形成された傾斜面としたものである。
【００１３】
また、通電電流に応動して湾曲するバイメタルを有する熱動引き外し装置と、通電電流が所定値を超過したときに生じる電磁力により作動する電磁引き外し装置と、熱動引き外し装置および上記電磁引き外し装置の動作により駆動される引き外し部材と、この引き外し部材の回動により作動する開閉機構部とを備えた回路遮断器において、引き外し部材は、丸棒で形成されたトリップバーと、このトリップバーに一体的に取付けられ開閉機構部に係合する第一の係合部材と、トリップバーに装着され隣接極との相間に突出する遮蔽部材とを備えたものである。
【００１４】
さらにまた、遮蔽部材に、第一の係合部材に当接して位置決めされるストッパを設けたものである。
【００１５】
【発明の実施の形態】
実施の形態１．
図１は、この発明の一実施の形態を示す回路遮断器を一部破断して内部を示す正面図である。図２は、図１の回路遮断器の引き外し部材を示す拡大図であり、（Ａ）は正面図、（Ｂ）は左側面図、（Ｃ）は（Ｂ）の上面図である。図３は、引き外し部材を示す分解図であり、（Ａ）は正面分解図、（Ｂ）は左側面分解図である。図において、１〜１１、１３、１４、１９〜２４は上記従来装置と同様のものであり、その説明を省略する。
【００１６】
４０は引き外し部材であり、図２に示すように、トリップバー４１と、第一の係合部材である掛け金４２と、スライド板４３とで構成され、掛け金４２の貫通孔４２ｅに枢着されるとともにフレーム１４に回動自在に軸支された掛金ピン４４（図１に示す）を中心に回動可能である。トリップバー４１は、図２および図３に示すように、合成樹脂またはセラミックス等の絶縁材料の丸棒で形成されている。
【００１７】
掛け金４２は、炭素鋼板等の金属板で形成され、図２に示すように、基部４２ａと、この基部４２ａの中央部から直角方向に折れ曲がったラッチ係合片４２ｂと、基部４２ａの右端部から直角に折れ曲がった第一の支持片４２ｃと、基部４２ａの左端部から直角に折れ曲がった第二の支持片４２ｄと、第一の支持片４２ｃおよび第二の支持片４２ｄに形成され掛金ピン４４が回動自在に挿着される貫通孔４２ｅが形成されている。また、掛け金４２のラッチ係合片４２ｂは、図１に示す回路遮断器がＯＮ状態においては、ラッチ２０の一端に係合している。また、掛け金４２は、図３に示すように、トリップバー４１に嵌挿され、トリップバー４１の軸方向の所定の位置に一体的に取付けられている。
【００１８】
スライド板４３は、図２および図３に示すように、熱動引き外し装置３１の各極のバイメタル８に螺着された調整ねじ８ｂが当接する複数の傾斜面４３ａと、矢印方向へ差し込みトリップバー４１に嵌挿させる複数の保持溝４３ｂと、この保持溝４３ｂの開放端部にはトリップバー４１の外径より若干小さい寸法Ｂとなるように突出部４３ｃが形成されている。傾斜面４３ａは、バイメタル８が湾曲して調整ねじ８ｂの先端が傾斜面４３ａに当る時に、トリップバー４１の回動方向｛図２（Ａ）に矢印Ｒで示す｝のどの位置で調整ねじ８ｂの先端が傾斜面４３ａに当っても、調整ねじ８ｂの先端と傾斜面４３ａとの間隙が常に一定するように、トリップバー４１の中心点Ｃを中心とするトリップバー４１の円周方向と同方向に円弧状｛図２（Ａ）に示す｝に形成されている。
【００１９】
また、保持溝４３ｂと、この保持溝４３ｂの開放端部に突出部４３ｃを設けることにより、スライド板４３の保持溝４３ｂを図３に示す矢印方向、すなわちトリップバー４１の軸方向と直交する方向から押し込むと、保持溝４３ｂの開放端部が押し開かれてトリップバー４１にスナップフィットで挿入され、所定位置まで挿入されたときには、突出部４３ｃによりトリップバー４１を保持してスライド板４３がトリップバー４１から抜け落ちないように嵌合される。また、スライド板４３には、図２に一点鎖線で示すように、矢印Ｄ方向へ移動可能なように案内溝４３ｄが形成され、掛け金４２の第一の支持部４２ｃが案内溝４３ｄの右壁４３ｆ｛図２（Ｂ）の位置｝または左壁４３ｈ（矢印Ｄ方向へ移動させた時）に当り、掛け金４２とスライド板４３の位置決めがなされる。
【００２０】
熱動引き外し装置３１のバイメタル８に螺着された調整ねじ８ｂと引き外し部材４０との関係位置は、図２に示すように、スライド板４３が実線で示す位置にある時には調整ねじ８ｂの先端と傾斜面４３ａとの間隙がほぼ最小であり、低い熱定格のセッティングとなり、スライド板４３を一点鎖線で示す位置に移動させた時には調整ねじ８ｂの先端と傾斜面４３ａとの間隙がほぼ最大となり、高い熱定格のセッティングとなる。
【００２１】
上述のように構成された回路遮断器の動作について説明する。過電流引き外し装置３に流れる電流が何らかの原因で定格電流以上に上昇した場合、ヒータ６から発生するジュール熱によってバイメタル８が熱せられ、その開放端部８ａが矢印Ａ方向（図１に示す）に湾曲し調整ねじ８ｂの先端がスライド板４３を介してトリップバー４１を押圧する。トリップバー４１が所定量以上押圧されるとトリップバー４１が掛金ピン４４を中心に時計方向へ回動され、トリップバー４１に嵌挿された掛け金４２とラッチ２０との係合が外れ、ラッチ２０がラッチばね（図示せず）の付勢力により軸１４ａを中心に反時計方向へ回動する。この回動により、レバー２１がラッチ２０との係合から開放され、ハンドルアーム２２等の開閉機構部１９が作動し、可動接点２３が固定接点２４から開離して回路が遮断される。
【００２２】
なお、電磁引き外し装置３２に流れる電流が定格電流以上で所定値以上になった場合の遮断動作については、従来装置と同様なものであり、その説明を省略する。
【００２３】
このように構成された回路遮断器においては、熱動引き外し装置３１のバイメタル８の湾曲により駆動される引き外し部材４０を、図２および図３に示すように、丸棒で形成されたトリップバー４１と、掛け金４２とで構成することにより、熱定格固定式の回路遮断器を得ることができる。さらに、トリップバー４１に嵌挿されるスライド板４３を設け、スライド板４３の保持溝４３ａを掛け金４２が嵌挿されたトリップバー４１にトリップバーの軸方向に直交する方向から押し込むだけで嵌合させ、スライド板４３をトリップバー４１の軸方向へ移動させ、バイメタル８に螺着された調整ねじ８ｂの先端とスライド板１８の傾斜面４３ａとの間隙を調整して熱動引き外し特性を調整することができ、部品点数が少ない構成で、組立作業が容易な引き外し部材を有する熱定格可調式の回路遮断器を得ることができる。
すなわち、標準品の熱定格固定式の機構部を引当て熱定格可調式の回路遮断器を短期間に製作可能になる。
【００２４】
また、バイメタル８とスライド板４３との間隙を調整する調整ねじ８ｂが当接するスライド板４３の当接面を、トリップバー４１の円周方向と同方向に円弧状の傾斜面４３ａとすることにより、トリップバー４１の回動方向のどの位置で調整ねじ８ｂの先端が傾斜面４３ａに当接しても、調整ねじ８ｂの先端と傾斜面４３ａとの間隙が常に一定し、熱動引き外し特性が安定する。
【００２５】
実施の形態２．
図４は、この発明の実施の形態２を示す回路遮断器の回路遮断器の引き外し部材を示す拡大図であり、（Ａ）は正面図、（Ｂ）は左側面図、（Ｃ）は（Ｂ）の上面図である。図５は、引き外し部材を示す分解図であり、（Ａ）は正面分解図、（Ｂ）は左側面分解図である。図において、４１，４２は上記実施の形態１と同様のものであり、その説明を省略する。
【００２６】
６０は引き外し部材であり、図４に示すように、トリップバー４１と、掛け金４２と、遮蔽部材６３とで構成されている。遮蔽部材６３は、図４および図５に示すように、合成樹脂等の絶縁材料で形成され、矢印方向（図５に示す）すなわちトリップバー４１の軸方向と直交する方向から押し込みトリップバー４１に嵌挿させる一対の保持溝６３ａと、この保持溝６３ａの開放端部に形成された一対の突出部６３ｂと、掛け金４２を位置決めする一対のストッパ６３ｃと、両端部から直角方向へ突出する一対の突出片６３ｄを有している。
【００２７】
保持溝６３ａに突出部６３ｂを設けることにより、寸法Ｅ｛図５（Ａ）に示す｝がトリップバー４１の外径より若干小さく形成され、遮蔽部材６３をトリップバー４１に嵌合させたときに、保持溝６３ａの開放端部を押し開いてトリップバー４１に挿入され、所定位置まで挿入されたときには、突出部６３ｂによりトリップバー４１を保持して遮蔽部材６３がトリップバー４１から抜け落ちないように構成されている。
【００２８】
この発明の実施の形態２の回路遮断器においては、丸棒で形成されたトリップバー４１と、掛け金４２とからなる引き外し部材６０を有する熱定格固定式の回路遮断器が構成され、この回路遮断器のトリップバー４１に遮蔽部材６３を嵌挿するだけで、隣接極との間に突出片６３ｄが介在するので、例えば中央極において遮断動作が行われた場合に、遮断により発生したアークガスが突出片６３ｄに当って左右の隣接極へ流入し難くなるので、隣接極側のトリップバー４２および構成部品の汚れを減少させ、相間絶縁性能を向上させることができる。
【００２９】
なお、実施の形態１に示すスライド板４３に実施の形態２に示す突出片６３ｄと同様の突出片を一体に形成してもよく、また、別体の突出片を装着しても、同様の効果を奏する。
【００３０】
【発明の効果】
この発明は、以上説明したように構成されているので、以下に記載されるような効果を奏する。
【００３１】
丸棒で形成されたトリップバーと、このトリップバーに一体的に取付けられ開閉機構部に係合する第一の係合部材と、トリップバーに装着され定常状態におけるバイメタルとの間隙を調整可能なスライド板とを備えた引き外し部材を設けたので、部品点数が少ない構成で、組立作業が容易な引き外し部材を有する熱定格可調式の回路遮断器を得ることができる。
【００３２】
また、スライド板に保持溝を設け、この保持溝によりトリップバーの軸方向に直交する方向から、トリップバーにスライド板を嵌挿するようにしたので、引き外し部材の組立てが容易になる。
【００３３】
また、スライド板に、トリップバーに取付けられた第一の係合部材に当接してトリップバーの軸方向に所定の距離スライド可能に位置決めされる案内溝を設けたので、スライド板と調整ねじとの間隙の調整が容易になる。
【００３４】
また、バイメタルとスライド板との間隙を調整する調整ねじを設け、この調整ねじが当接するスライド板の当接面を、トリップバーの円周方向と同方向に円弧状に形成された傾斜面としたので、トリップバーの回動方向のどの位置で調整ねじの先端が傾斜面に当接しても、スライド板と調整ねじとの間隙が常に一定し、熱動引き外し特性が安定する。
【００３５】
また、丸棒で形成されたトリップバーと、このトリップバーに一体的に取付けられ開閉機構部に係合する第一の係合部材と、トリップバーに装着され隣接極との相間に突出する遮蔽部材とを備えた引き外し部材を設けたので、遮断時に発生したアークガスが隣接極へ流入し難くなり、隣接極側のトリップバー及び構成部品の汚れを減少させ、相間絶縁性能が向上する。
【００３６】
さらにまた、遮蔽部材に第一の係合部材に当接して位置決めされるストッパを設けたので、トリップバーへの装着が容易になるとともに、遮蔽部材の移動を防止する。
【図面の簡単な説明】
【図１】  この発明の実施の形態１を示す回路遮断器を一部破断して内部を示す正面図である。
【図２】  この発明の実施の形態１の引き外し部材を示す拡大図である。
【図３】  この発明の実施の形態１の引き外し部材を示す分解図である。
【図４】  この発明の実施の形態２の引き外し部材を示す拡大図である。
【図５】  この発明の実施の形態２の引き外し部材を示す分解図である。
【図６】  従来の回路遮断器を一部破断して内部を示す正面図である。
【図７】  従来の引き外し部材を示す拡大図である。
【図８】  従来のスライド板を示す拡大側面図である。
【符号の説明】
８  バイメタル、８ｂ  調整ねじ、１９  開閉機構部、
３１  熱動引き外し装置、３２  電磁引き外し装置、４０  引き外し部材、
４１  トリップバー、４２  掛け金（第一の係合部材）、４３  スライド板、
４３ａ  傾斜面、４３ｂ  保持溝、４３ｄ  案内溝、６０  引き外し部材、
６３  遮蔽部材、６３ｃ  ストッパ
【図１】
0004333029.tif 000002
【図２】
0004333029.tif 000003
【図３】
0004333029.tif 000004
【図４】
0004333029.tif 000005
【図５】
0004333029.tif 000006
【図６】
0004333029.tif 000007
【図７】
0004333029.tif 000008
【図８】
0004333029.tif 000009